(57)【要約】【課題】窓に適宜備えることができる可搬性を有し、かつ、光透過率および照明度を調節可能であるとともに、所定の景観や映像を表示することができる窓用ディスプレイ装置を提供する。【解決手段】窓に備えられ、所定の画像を表示可能である窓用ディスプレイ装置を、所定の画像を表示するディスプレイ層と、該ディスプレイ層の室外側に配され、所定の画像を表示するための照明を供給する照明光源層と、該照明光源層の室外側に配され、室外から入射する光の透過を調整する調光層とを含むディスプレイ部と、所定の画像の表示、照明および光の透過を制御する制御部と、制御部を駆動するための電源と、ディスプレイ部を窓に設置するための装着手段とから構成した。【選択図】図１
2006132206.tif 000002
【特許請求の範囲】
【請求項１】
窓に備えられ、所定の画像を表示可能である窓用ディスプレイ装置であって、
前記所定の画像を表示するディスプレイ層と、該ディスプレイ層の室外側に配され、前記所定の画像を表示するための照明を供給する照明光源層と、該照明光源層の室外側に配され、室外から入射する光の透過を調整する調光層とを含むディスプレイ部と、
前記所定の画像の表示、前記照明および前記光の透過を制御する制御部と、
前記制御部を駆動させるための電源と、
前記ディスプレイ部を前記窓に設置するための装着手段と
から構成されることを特徴とする窓用ディスプレイ装置。
【請求項２】
前記制御部は、前記所定の画像などのデータを記憶する記憶部を有する請求項１に記載の窓用ディスプレイ装置。
【請求項３】
前記制御部は、計時手段を有し、前記制御部に接続された操作部によって予め設定された時刻に、前記所定の画像を前記ディスプレイ層に表示するようにした請求項２に記載の窓用ディスプレイ装置。
【請求項４】
前記制御部は、該制御部に接続された画像入力手段によって、記憶媒体から画像などのデータを読み出し、該画像などのデータを前記記憶部に記憶するようにした請求項２または３に記載の窓用ディスプレイ装置。
【請求項５】
前記電源は、
前記調光層の室外側に配され、室外から入射する光を遮らないように透明または半透明になっている太陽電池と、
該太陽電池で発電した電気を蓄える蓄電池と、
電源コンセントに差し込まれることによって通電する電源プラグと
を含む請求項１ないし４のいずれかに記載の窓用ディスプレイ装置。
【発明の詳細な説明】
【技術分野】
【０００１】
本発明は、室内などの窓に備えられ、光透過率および照明度を調節可能であるとともに、所定の画像を表示することができる窓用ディスプレイ装置に関する。
【背景技術】
【０００２】
一般に、窓は採光や換気を目的とし、その用途に応じた機能を有する種々のガラスが用いられる。しかし、これらのガラスは、それ自身による装飾効果は低かったため、室内の雰囲気を高めることができる窓が求められていた。
【０００３】
そこで、室内の雰囲気を高める手段として、例えば特許文献１には、図４に示すように、透過性の画像形成層１０１と、該画像成形層１０１の表面を保護する透視可能な屋内側保護層１０２とを備えたディスプレイ板１０３を窓枠１０４に組付け、該ディスプレイ板１０３の背面側に、画像形成層１０１への自然光の透過を許容する防水性の屋外側保護層１０５を形成するとともに、画像形成層１０１に対して光を照射する電気式光源１０６を組み付け、かつ、該光源１０６に対する通電操作手段１０７を設けたディスプレイ窓が開示されている。
【０００４】
このディスプレイ窓では、日中のように屋外からの光量が十分である際には、自然光を屋外側保護層１０５およびディスプレイ板１０３を介して室内に入射することによって、室内側への採光機能を維持しつつ、室内側に画像形成層１０１を浮かび上がらせるようになっている。一方、雨天時や夜間のように屋外からの光量が不足する際には、通電操作手段１０７により光源１０６を点灯制御することにより、ディスプレイ板１０３の画像を室内に浮かび上がらせるようになっている。
【０００５】
【特許文献１】特開２０００−１４８０５４号公報
【発明の開示】
【発明が解決しようとする課題】
【０００６】
しかしながら、特許文献１のディスプレイ窓では、画像形成層１０１に形成された絵柄や写真だけしか表示することができない。そのため、別の絵柄や写真に変更したい場合には、ディスプレイ板１０１を取り替える労力およびコストが必要であった。
【０００７】
また、一般的な家庭では、夜間には外部から室内を見られないようにするために、窓より室内側に設けられたカーテンやブラインドを閉めるが、このディスプレイ窓では、カーテンやブラインドを閉めてしまうと、画像形成層１０１の絵柄や写真が隠れてしまい、室内から見ることができなくなってしまうという問題があった。
【０００８】
窓の装飾効果を高める別の手段として、窓と同サイズの薄型のディスプレイ装置（例えば液晶ディスプレイ）を窓に配し、このディスプレイに外景とは異なる景観（例えば海や山の風景）を表示するという方法も考えられるが、この方法では、使用者は、ディスプレイ装置と窓とが一体になっていると捉えることはできないため、表示される景観を窓から見える風景のように認識するのは困難であった。
【０００９】
また、この方法では、ディスプレイを使用しない場合でも、窓の外部から入射する太陽光を遮ってしまうため、日中でも室内の明るさが不足し、照明を点灯しなければならないという問題があった。
【００１０】
そこで、本発明は、上記事情に鑑みてなされたものであり、その目的とするところは、窓に適宜備えることができる可搬性を有し、かつ、光透過率および照明度を調節可能であるとともに、所定の景観や映像を表示することができる窓用ディスプレイ装置を提供することである。
【課題を解決するための手段】
【００１１】
本発明の上記目的は、窓に備えられ、所定の画像を表示可能である窓用ディスプレイ装置を、前記所定の画像を表示するディスプレイ層と、該ディスプレイ層の室外側に配され、前記所定の画像を表示するための照明を供給する照明光源層と、該照明光源層の室外側に配され、室外から入射する光の透過を調整する調光層とを含むディスプレイ部と、前記所定の画像の表示、前記照明および前記光の透過を制御する制御部と、前記制御部を駆動させるための電源と、前記ディスプレイ部を前記窓に設置するための装着手段とから構成したことにより、達成される。
【００１２】
また、上記目的は、前記制御部が、前記所定の画像などのデータを記憶するための記憶部を有することにより、効果的に達成される。
【００１３】
また、上記目的は、前記制御部が、計時手段を有し、前記制御部に接続された操作部によって予め設定された時刻に、前記所定の画像を前記ディスプレイ層に表示するようにしたことにより、効果的に達成される。
【００１４】
また、上記目的は、前記制御部が、該制御部に接続された画像入力手段によって、記憶媒体から画像などのデータを読み出し、該画像などのデータを前記記憶部に記憶するようにしたことにより、効果的に達成される。
【００１５】
さらに、上記目的は、前記電源が、前記調光層の室外側に配され、室外から入射する光を遮らないように透明または半透明になっている太陽電池と、該太陽電池で発電した電気を蓄える蓄電池と、電源コンセントに差し込まれることによって通電する電源プラグとを含むことにより、効果的に達成される。
【発明の効果】
【００１６】
以上のような構成により、本発明に係る窓用ディスプレイ装置は、ディスプレイ部を通常の窓に対して一体的に見えるように装着することができるとともに、制御部でディスプレイ部の作動を制御することによって、所望の画像を窓に表示することができる。これにより、都心や住宅街にいながら、海や山などの自然の風景を窓から鑑賞することができる。
【００１７】
また、制御部が計時手段を有し、操作部によって予め設定された時刻に、所定の画像をディスプレイ層に表示することができるので、使用者は、起床時間に合わせて日の出の風景が表示されるように設定しておけば、起床時に窓から日の出の風景を見ることができる。また、この際に、表示する画像の照明度を日中の明るさと同程度になるように設定しておけば、起きるのが苦手な人であっても容易に起きることができる。さらに、留守時に、調光層が定期的に作動して白濁化するように設定しておくことにより、防犯効果もある。
【００１８】
また、制御部に接続された画像入力手段を備えることにより、ＰＣやＡＶ機器などとの互換性を有する可搬型記憶媒体から、あるいはＰＣやＡＶ機器から直接画像データを読み出すことができる。これにより、ＰＣなどで編集を加えた画像やインターネット上の画像データなどもディスプレイ部に表示することができるので、表示する画像データの多様化を図ることができる。
【００１９】
さらに、電源が、透明または半透明の太陽電池と、蓄電池と、電源プラグとを備えていることにより、日中は太陽電池からの電力で、一方、夜間は日中に太陽電池が発電した電力を蓄えた蓄電池、または電源プラグが差し込まれた電源コンセントからの電力で、制御部を駆動させることができる。この結果、日中に使用する際の消費電力を軽減することができ、かつ、太陽電池の使用が不可能である条件下においても、電源プラグを電源コンセントに差し込むことによって電力を得ることができる。
【発明を実施するための最良の形態】
【００２０】
以下、図面を参照にしながら、本発明の実施形態について説明する。
【００２１】
図１は、本発明の実施形態に係る窓用ディスプレイ装置の概略構成図であり、図２は、窓用ディスプレイ装置のディスプレイ部の背面を示す斜視図である。図１において、窓用ディスプレイ装置１は、大別すると、室内等の窓に取り付けられ、所定の画像を表示するディスプレイ部２と、該ディスプレイ部２の作動を制御する制御部３と、該制御部３を駆動させるための電源４と、ディスプレイ部２の操作や種々の設定を入力するための操作部５と、記憶媒体から画像などのデータを読み出すための画像入力手段６とから構成されている。
【００２２】
ディスプレイ部２は、窓に取りつけられた際の最前面になり、所定の画像を表示するディスプレイ層７と、該ディスプレイ層７の後面に配され、所定の画像を表示するための照明光源を供給する照明光源層８と、該照明光源層８の背面に配され、室外から入射する光の透過を調整する調光層９とから構成されている。このディスプレイ部２は、画像が表示されない場合には、太陽光が窓から室内に入射できるようにする必要があるため、各構成部品には、透明またはほぼ透明のものが適用されている。
【００２３】
ディスプレイ層７には、ディスプレイ部２を窓に取りつけた際に、窓とディスプレイ部２とが一体的に見えるように、例えば、液晶ディスプレイ（ＬＣＤ）、プラズマディスプレイ（ＰＤＰ）、あるいはエレクトロルミネッセンスディスプレイ（ＥＬＤ）などの、できるだけ薄いものが適用される。なお、上述したように、このディスプレイ層７は、ほぼ透明に形成される必要があるが、透明に近い状態の薄膜トランジスタや電極などの構成部品はすでに存在しているので、これらを適用すればディスプレイ層７をほぼ透明に形成することは可能である。
【００２４】
また、照明光源層８は、ディスプレイ層７の室外側に配され、ディスプレイ層７に対応するサイズで形成される。この照明光源層８には、例えば、２枚の透明板（ガラス製、プラスチック製等）の間に光を放つように複数の発光体を端部に配し、全面に照明効果を及ぼすようにしたものを適用することができる。なお、この照明光源層８も、ディスプレイ層７と同様に、できるだけ薄く、かつ、できるだけ透明になるように形成されている。
【００２５】
また、調光層９は、照明光源層８の室外側に配され、ディスプレイ層７および照明光源層８に対応するサイズで形成される。この調光層９には、例えば、挟間隙を介して平行配置された２枚の透明板の対向面内に透明導電膜を形成するとともに、その挟間隙内に液晶を充填されたものを適用することができる。この調光層９は、昼間にディスプレイ層７に画像を表示する場合、および、夜間に室外から室内を見られたくない場合には、電圧を印加することによって白濁化し、光を透過しないようになっている。一方、日中にディスプレイ層７に画像を表示しないときには、調光層９は、透明になっているので、通常の窓と同様に、太陽の光が室内に入射されるようになっている。
【００２６】
制御部３は、ディスプレイ部２の作動を制御するマイクロプロセッサ１０と、ディスプレイ層７に表示する画像などのデータを記憶するメモリ１１と、アラーム機能を有する計時手段１２とから構成され、使用者から操作部５を介して操作信号が入力されると、メモリ１１に記憶されている画像の中から任意のものを選択し、その画像をディスプレイ層７に表示するようになっている。
【００２７】
また、操作部５は、ディスプレイ層７の画像の表示、照明光源層８の照明の調節、調光層９の光の透過の調節などの操作や種々の設定を行うようになっている。
【００２８】
したがって、例えば、使用者が就寝前に、操作部５により予め起床時間に合わせた画像表示開始時間（ここでは０４：００）と、表示させる日の出の画像とを設定しておけば、日の出の時間ではない時間帯に起床しても、起床と同時に窓から日の出を見ることができる。また、操作部５によって、起床の際に表示させる画像の照明度を調節し、起床時の部屋の明るさが日中と同程度になるように設定しておけば、起きるのが苦手な人でも容易に起きることができる。さらに、メモリ１１内に記憶されているプログラムを用いて、数分毎に表示される画像を変更するように設定することも可能である。
【００２９】
また、制御部３は、照明光源層８の照明および調光層９の光の透過を調節できるようになっているので、室外からの光の入射があるときにディスプレイ層７に画像を表示する際には、所定の割合で太陽の光が入射するように調光層９を調節することにより、電気コストの軽減、および装置寿命の延長化を図ることができる。
【００３０】
画像入力手段６は、例えばＰＣやＡＶ機器などとの互換性を有する可搬型記憶媒体（ＣＤ−ＲＯＭ、ＦＤ、ＤＶＤ、光磁気ディスクなど）を装着して制御し、この記憶媒体に記憶されている画像情報を読み出し、この読み出された画像情報は、メモリ１１に記憶される。なお、この画像入力手段６は、可搬型記憶媒体の代わりに、インターネットに接続されたＰＣやＡＶ機器などに直接接続し、画像などのデータを取り込むようにしてもよい。つまり、窓用ディスプレイ装置１は、この画像入力手段６を備えることによって、表示する画像データの多様化を図ることができる。
【００３１】
電源４は、図２に示すように調光層９の背面に配され、室外から入射する光を遮らないように透明または半透明になっている太陽電池１３と、該太陽電池１３で発電した電気を蓄える蓄電池１４と、電源コンセントなどに差し込まれることによって通電する電源プラグ１５とから構成されている。本装置１は、太陽が出ている昼間に画像を表示する場合には、太陽電池１３および蓄電池１４の電源により制御部３を駆動させ、蓄電池１４の蓄電量が不足する夜間などには、電源プラグ１５を電源コンセントなどに差し込むことによって通電し、制御部３を駆動させるようになっている。
【００３２】
また、調光層７の背面には、図２に示すように、ディスプレイ部２を窓に設置するための装着手段１６が設けられている。この装着手段１６は、透明の接着剤等になっていて、窓の表面に直接装着できるようになっている。また、接着力が低下した場合には、この装着手段１６のみを新しいものに取り替えることが可能であるため、ディスプレイ部２の設置箇所を何度も変更することができる。なお、本実施形態では、装着手段１６を接着剤としたが、これに限定されず、例えば、ディスプレイ部２の端部に窓縁の一部に係合する部材を配し、該係合部材を装着手段としてもよい。
【００３３】
図３は、窓用ディスプレイ装置１を窓に装着した状態を示す正面図である。同図に示すように、窓１７に装着されたディスプレイ部２のディスプレイ層７に表示される画像は、実際に窓から見えている風景のように見ることができる。
【００３４】
なお、制御部３は、図３に示すように、窓１７付近の壁面に、上述した装着手段１６の装着方法と同様の方法で装着されているが、これに限定されず、例えばネジ等によって固定されるようにしてもよいし、あるいはリモートコントロール式にして、操作部５を自由に持ち運べるようにしてもよい。
【００３５】
以上のように、本実施形態に係る窓用ディスプレイ装置１を用いることによって、都心や住宅街にいながら、海や山などの自然の風景を窓から鑑賞することができる。この結果、室内の雰囲気や装飾効果を高めることができる。
【００３６】
また、この窓用ディスプレイ装置１は、必要に応じて適宜取り付け・取り外しが可能であり、かつ、設置箇所を容易に変更可能な構造になっていることによって、高い可搬性を有する。
【００３７】
以上、本発明を具体的に説明してきたが、本発明はそれに限定されるものではなく、その趣旨を逸脱しない範囲で種々変更可能である。
【図面の簡単な説明】
【００３８】
【図１】本発明の実施形態に係る窓用ディスプレイ装置の概略構成図である。
【図２】上記窓用ディスプレイ装置のディスプレイ部の背面を示す斜視図である。
【図３】上記窓用ディスプレイ装置を室内の窓に装着した状態を示す正面図である。
【図４】従来のディスプレイ窓を示す分解斜視図である。
【符号の説明】
【００３９】
１    窓用ディスプレイ装置
３    制御部
４    電源
５    操作部
６    画像入力手段
７    ディスプレイ層
８    照明光源部
９    調光層
１１    メモリ
１２    計時手段
１３    太陽電池
１４    蓄電池
１５    電源プラグ
１６    装着手段
１７    窓
【図１】
2006132206.tif 000003
【図２】
2006132206.tif 000004
【図３】
2006132206.tif 000005
【図４】
2006132206.tif 000006